(57)【要約】【課題】使用状況に応じて、より高品質な表示を実現する反射型液晶表示装置を提供する。【解決手段】反射型液晶パネル５は、光を反射する反射層を備える液晶パネルである。フロントライト３は、反射型液晶パネル５を照射する。制御部６は、フロントライト３が点灯しているか消灯しているかを示すフロントライト点灯判別信号に応じて、反射型液晶パネル５に印加する最大電圧である白表示電圧を、フロントライト消灯時よりフロントライト点灯時の方が大きくなるよう制御する。【選択図】  図１
2004302161.tif 000002
【特許請求の範囲】
【請求項１】
光を反射する反射層を備える反射型液晶パネルと、
前記反射型液晶パネルを照射するフロントライトと、
前記フロントライトの点灯状態を示すフロントライト点灯判別信号に応じて、前記反射型液晶パネルに印加する白表示電圧を制御する制御手段と
を具備することを特徴とする反射型液晶表示装置。
【請求項２】
前記反射型液晶パネルがノーマリーブラックである場合に、前記制御手段は、前記フロントライト点灯判別信号が前記フロントライトの消灯を示す場合の前記白表示電圧である第１の白表示電圧に対して、前記フロントライト点灯判別信号が前記フロントライトの点灯を示す場合の前記白表示電圧である第２の白表示電圧の方が高くなるよう制御することを特徴とする請求項１に記載の反射型液晶表示装置。
【請求項３】
前記反射型液晶パネルがノーマリーホワイトである場合に、前記制御手段は、前記フロントライト点灯判別信号が前記フロントライトの消灯を示す場合の前記白表示電圧である第１の白表示電圧に対して、前記フロントライト点灯判別信号が前記フロントライトの点灯を示す場合の前記白表示電圧である第２の白表示電圧の方が低くなるよう制御することを特徴とする請求項１に記載の反射型液晶表示装置。
【請求項４】
前記フロントライトを点灯または消灯の状態に制御するフロントライト制御手段を更に具備し、
前記フロントライト点灯判別信号は、前記フロントライト制御手段の制御に応じた信号であることを特徴とする請求項１から請求項３のいずれか１項に記載の反射型液晶表示装置。
【請求項５】
光を反射する反射層を備える反射型液晶パネルと、
前記反射型液晶パネルに表示中の表示内容を判別して表示判別信号を出力する表示判別手段と、
前記表示判別手段が出力する表示判別信号に応じて、前記反射型液晶パネルに印加する白表示電圧を制御する制御手段と
を具備することを特徴とする反射型液晶表示装置。
【発明の詳細な説明】
【０００１】
【発明の属する技術分野】
本発明は、反射型液晶表示装置に関するものである。
【０００２】
【従来の技術】
従来の反射型液晶表示装置の概略構成および電圧―輝度特性について説明する。図１０（ａ）は、従来の反射型液晶表示装置における液晶パネルの概略構成を示す図である。図１０（ａ）において、５０は、反射型液晶表示装置であり、外光または後述するフロントライト５２の光を照明光源として画像等を表示する。５２は、フロントライトであり、光源５１を具備し、光源５１が発光する光を後述する反射型液晶パネルへ向かって照射する。５３は、偏光板であり、一軸のみの光（偏光）を通す。５４は、反射型液晶パネルであり、偏光板５３を透過した光を反射する反射層と反射層上に形成される液晶層を有する。
【０００３】
上述した反射型液晶表示装置５０の一例として、外光の照射量が少ないときでも充分な輝度で表示を行い、かつ電力消費も抑えられた反射型液晶表示装置が開示されている（例えば、特許文献１参照。）。
また、反射型液晶表示装置５０の他の例として、バックライト又はフロントライトを備えた液晶表示装置の使用者が、使用場所の外光の明暗のレベルに応じてバックライト又はフロントライトを点灯しあるいは消灯するという煩雑な操作を行わなくてもよいようにする反射型液晶表示装置が開示されている（例えば、特許文献２参照。）。
【０００４】
次に、図１０（ａ）に示した反射型液晶パネル５４の電圧―輝度特性について説明する。図１０（ｂ）は、図１０（ａ）に示した反射型液晶パネル５４の電圧―輝度特性を示す図である。尚、図１０（ｂ）に示す電圧−輝度特性は、反射型液晶パネル５４がノーマリーブラック（電圧がかかっていないときに画面が黒い）である場合を示している。図１０（ｂ）に示すように、反射型液晶パネル５４に印加する電圧が高くなるのに応じてその輝度が大きくなるが、波長分散特性により、輝度が飽和してくると同じ電圧でも色（Ｒ（赤），Ｇ（緑），Ｂ（青））によって輝度が異なってくる。従って、輝度が飽和する附近で電圧が変化すると白色度（白色に見える度合い）が変化する。そのため、従来は、白色度の変化が許容範囲内になるよう輝度が飽和する手前までの電圧となる電圧設定を行っていた。
【０００５】
また、従来は、図１０（ａ）に示すようにフロントライト５２の導光板の裏面にはＡＲコート（反射防止膜）、反射型液晶パネル５４のパネル面には偏光板５３が貼合された構造が一般的である。このときのコントラストは１０以下がほとんどであり、低コントラストであるため、色再現範囲も狭く、また、導光板自身で発生するモアレも顕著に見えてしまうため、表示品質は非常に悪いものであった。このようにもともと表示品質はそれほど高いものではなかったため、フロントライト点灯時／消灯時あるいはテキスト表示／画像表示で表示品質をそれぞれ最適化する必要性もなかった。尚、テキスト表示とは、文字情報の表示であり、画像表示とは、図や写真などの画像情報の表示である。
【０００６】
【特許文献１】
特開２００１−５１６１４号公報
【特許文献２】
特開２００２−１３１７１９号公報
【０００７】
【発明が解決しようとする課題】
しかしながら、例えば、偏光板５３を導光板に貼合する構造を採用し、コントラストを３０程度まで達成できる反射型液晶表示装置が実現されている。これにより、表示品質が向上したため、反射型液晶表示装置の使用状況に応じて、より高品質な表示を実現する必要性が生じている。例えば、使用状況に応じてより高品質な表示を実現する以下の経験則が判明した。
（１）外光下では明るさが十分あるため逆に黒をより黒くした方がよい。
（２）暗めの部屋ではフロントライトを点灯するだけでは明るさは十分とは言えず、この場合は明るめの表示にした方がよい。
（３）画像を表示する場合は黒をより黒くし、逆にテキストを表示する場合はコントラストが低くても気にならない。
【０００８】
しかしながら、上述した従来の反射型液晶表示装置５０のように、本来もっと輝度を高くできるにもかかわらず、白色度の変化を抑えるよう一定の電圧設定を行うことは、最大輝度の明るさが低くなるという問題を生じる。その対策として、例えばフロントライトの光源の輝度を増やして最大輝度を明るくする手段も考えられるが、消費電力が増えるという問題があり、特に携帯用端末用の表示装置には適用が困難であった。
そこで、上述した経験則を基に使用状況に応じて内部電圧の設定やフロントライトの光源の光量などを変化させ、より高品質な表示を実現することを課題としている。
【０００９】
この発明は、上述した事情を考慮してなされたもので、使用状況に応じて、より高品質な表示を実現する反射型液晶表示装置を提供することを目的とする。
【００１０】
【課題を解決するための手段】
この発明は、上述した課題を解決すべくなされたもので、本発明による反射型液晶表示装置においては、光を反射する反射層を備える反射型液晶パネルと、反射型液晶パネルを照射するフロントライトと、フロントライトの点灯状態を示すフロントライト点灯判別信号に応じて、反射型液晶パネルに印加する白表示電圧を制御する制御手段とを具備することを特徴とする
【００１１】
これにより、本発明による反射型液晶表示装置においては、フロントライトの点灯状態を示すフロントライト点灯判別信号に応じて、反射型液晶パネルに印加する白表示電圧を制御できるので、例えば、液晶画面が全体的に明るさの足りなくなることが多いフロントライト点灯時に、白表示電圧を高めに制御して画面の輝度をより明るくすることが出来る。すなわち、使用状況に応じたより高品質な表示を実現することができる。
【００１２】
【発明の実施の形態】
以下、発明の実施の形態を説明する。
まず、本発明の第１の実施形態である反射型液晶表示装置の概略構成について図を用いて説明する。
図１（ａ）は、本発明の第１の実施形態における反射型液晶表示装置の概略構成を示す図である。図１（ａ）において、１は、反射型液晶表示装置であり、外光または後述するフロントライト３の光を照明光源として液晶を制御することで画像情報や文字情報等を表示する。３は、フロントライトであり、光源２を具備し、光源２が発光する光を後述する反射型液晶パネル５へ向かって照射する。４は、偏光板であり、特定の偏光のみを通す。
【００１３】
５は、反射型液晶パネルであり、液晶の背面に光を反射する反射層を設けた液晶パネルである。すなわち、反射型液晶パネル５は、液晶の背面に設けた反射層により、液晶の前面から偏光板４を介して入射する光を反射して画像情報や文字情報等を表示する。６は、制御部であり、光源２の点灯／消灯や、反射型液晶パネル５の液晶への電圧印加など、反射型液晶表示装置１が画像情報や文字情報等を表示するための種々の制御を行う。例えば、制御部６は、反射型液晶パネル５の各画素単位で液晶を駆動する駆動信号をデータバスライン経由で供給する。更に、制御部６は、反射型液晶パネル５の液晶に印加する駆動電圧の最大値をフロントライト３の点灯／消灯に応じて制御する。尚、制御部６による制御の詳細については後述する。
【００１４】
尚、本実施形態における反射型液晶表示装置１は、図１（ａ）に示した以外にも、一般的な反射型液晶表示装置が備える構成と同様の構成を備えてもよい。また、本実施形態における反射型液晶表示装置１は、偏光板４とフロントライト３の導光板とを貼り合わせることで、コントラストを３０程度に高めている。また、上述したように、反射型液晶表示装置１のコントラストが３０程度であることに限定されず、任意のコントラストであってよいが、本実施形態の特徴をより効果的に利用するならば、コントラストが１５以上あることが好ましい。
【００１５】
次に、図１（ａ）に示した反射型液晶パネル５の電圧―輝度特性について説明する。図１（ｂ）は、図１（ａ）に示した反射型液晶パネル５の電圧−輝度特性を示す図である。尚、図１（ｂ）に示す電圧−輝度特性は、反射型液晶パネル５がノーマリーブラック（電圧がかかっていないとき画面が黒い）である場合を示している。図１（ｂ）において、縦軸は相対輝度であり、横軸は液晶印加電圧である。また、液晶印加電圧Ｖｏｆｆ１、Ｖｏｆｆ２は、黒を表示する際に液晶に印加する最小電圧（以下、黒電圧とする）であり、液晶印加電圧Ｖｏｆｆ１＜液晶印加電圧Ｖｏｆｆ２である。また、液晶印加電圧Ｖｏｎ１、Ｖｏｎ２は、白を表示する際の最大電圧（以下、白電圧とする）であり、液晶印加電圧Ｖｏｎ１＜液晶印加電圧Ｖｏｎ２である。また、図１（ｂ）に示すように、反射型液晶パネル５の液晶に印加する電圧が高くなるのに応じてその輝度が大きくなる。
【００１６】
尚、図１（ｂ）においては、１本の電圧−相対輝度特性カーブを示したが、反射型液晶表示装置１がカラー表示可能な液晶表示装置であれば、図１０（ｂ）に示したように、Ｒ、Ｇ、Ｂデータそれぞれに対応する３本の電圧−相対輝度特性カーブを持つ。また、図１０（ｂ）に示したようにＲ、Ｇ、Ｂデータの電圧−相対輝度特性カーブは、相対輝度が飽和直前になるとバラツキがでてくる。すなわち、制御部６が、相対輝度の飽和直前まで反射型液晶パネル５に印加する電圧を上げると、反射型液晶表示装置１に表示される白色度が変化する。
【００１７】
以上に示すように、反射型液晶表示装置１は、白電圧（白表示電圧）として、図１（ｂ）に示した液晶印加電圧Ｖｏｎ１または液晶印加電圧Ｖｏｎ２のいずれかを設定することができる。また、反射型液晶表示装置１は、黒電圧（黒表示電圧）として、図１（ｂ）に示した液晶印加電圧Ｖｏｆｆ１または液晶印加電圧Ｖｏｆｆ２のいずれかを設定することができる。
【００１８】
例えば、黒電圧においては、フロントライト３のオン、オフの指示信号を外部から受けた場合にその指示信号に応じて、制御部６は、フロントライト３をオン、オフするとともに、フロントライト３の消灯時に液晶印加電圧Ｖｏｆｆ１を選択し、フロントライト３の点灯時に液晶印加電圧Ｖｏｆｆ２を選択する。同様に、白電圧においては、フロントライト３のオン、オフの指示信号を外部から受けた場合にその指示信号に応じて、制御部６は、フロントライト３をオン、オフするとともに、フロントライト３の消灯時に液晶印加電圧Ｖｏｎ１を選択し、フロントライト３の点灯時に液晶印加電圧Ｖｏｎ２を選択する。
【００１９】
ここで、図１（ａ）に示した反射型液晶表示装置１の制御部６における黒電圧および白電圧を選択する回路の具体例について説明する。図２は、図１（ａ）に示した反射型液晶表示装置１の制御部６における黒電圧および白電圧を選択する回路例を示す図である。図２において、１０は、セレクタＩＣ（Ｉｎｔｅｇｒａｔｅｄ  Ｃｉｒｃｕｉｔ）であり、フロントライト点灯判別信号の信号レベルＬ（ロウ）またはＨ（ハイ）に応じて、液晶印加電圧Ｖｏｎ１または液晶印加電圧Ｖｏｎ２を選択して、白輝度の基準電圧（白電圧）として出力する。また、もう１つのセレクタＩＣ・１０は、フロントライト点灯判別信号の信号レベルＬ（ロウ）またはＨ（ハイ）に応じて、液晶印加電圧Ｖｏｆｆ１または液晶印加電圧Ｖｏｆｆ２を選択して、黒輝度の基準電圧（黒電圧）として出力する。
【００２０】
１１は、データドライバＩＣであり、セレクタＩＣ・１０から供給される黒電圧および白電圧やクロック信号ＣＬＫやスタートパルスＳＰやＲ（赤）、Ｇ（緑）、Ｂ（青）データを基に、反射型液晶パネル５のデータバスラインへ２４０本の駆動電圧信号ＤＢ１〜ＤＢ２４０を出力する。具体的には、スタートパルスＳＰが入力されるとクロック信号ＣＬＫに同期したタイミングでＲ（赤）、Ｇ（緑）、Ｂ（青）データのラッチを開始して、１ライン分ラッチした後に、黒電圧および白電圧などの基準電圧を基にラッチしたＲ（赤）、Ｇ（緑）、Ｂ（青）データをＤ／Ａ（デジタル／アナログ）変換して駆動電圧信号ＤＢ１〜ＤＢ２４０を出力する。すなわち、データドライバＩＣ１１は、Ｒ、Ｇ、Ｂデータの値が大きい程、大きな電圧値の駆動電圧信号を出力する。尚、駆動電圧信号ＤＢ１〜ＤＢ２４０とは、反射型液晶パネル５の各画素を構成する液晶にＲＧＢデータに応じた駆動電圧を印加するための信号である。
【００２１】
以上の構成により、反射型液晶表示装置１は、反射型液晶パネル５の白電圧を２種類設定する。具体的には図１（ｂ）に示したように、Ｒ、Ｇ、Ｂデータそれぞれの電圧−相対輝度特性カーブから、おおよそＲ、Ｇ、Ｂデータの相対輝度が等しい飽和前の電圧値Ｖｏｎ１と、Ｒ、Ｇ、Ｂデータの相対輝度はずれているが白輝度として最大になる飽和後の電圧値Ｖｏｎ２を設定する。また、反射型液晶表示装置１におけるフロントライト３の光源２のオン、オフは、制御部６が行う。例えば反射型液晶表示装置１を備えるＰＤＡ（Ｐｅｒｓｏｎａｌ  Ｄｉｇｉｔａｌ  Ａｓｓｉｓｔａｎｔｓ）や携帯型パソコンなどの携帯型情報端末では、携帯型情報端末が備える手動スイッチ（フロントライト点灯スイッチ）で切り換えを行う。すなわち、この手動スイッチの出力信号を基に、制御部６は、光源２の点灯、消灯を行い、更に、フロントライト点灯判別信号を生成してセレクタＩＣ・１０へ入力する。
【００２２】
尚、上述した実施形態において、フロントライト３のオン、オフを外部の手動スイッチに応じて行うことを示したが、この限りではなく、外光の明るさを検知した外光検知信号を得ることができる場合などは、制御部６において、その外光検知信号を基に、光源２の制御およびフロントライト点灯判別信号を生成してもよい。この時、外光の明るさを検知した外光検知信号を出力する外光検知回路は、反射型液晶表示装置１の内部に備えても良いし、反射型液晶表示装置１の外部に設置されていてもよい。
【００２３】
また、フロントライト３の光源２として例えばＣＣＦＬ（Ｃｏｌｄ  Ｃａｔｈｏｄｅ  Ｆｌｕｏｒｅｓｃｅｎｔ  Ｌａｍｐ）やＬＥＤを用いる。また、光源２の発光スペクトルの設計方法として、例えば最大輝度の白表示の品質を優先する場合には、液晶印加電圧Ｖｏｎ２を印加した時に求める白色度になるように発光スペクトルを設計してもよい。
【００２４】
更に、上述した実施形態において反射型液晶パネル５がノーマリーブラックの場合を説明したが、この限りではなく、反射型液晶パネル５は液晶に電圧がかかっていないときに画面が白いノーマリーホワイトであってもよい。ここで、反射型液晶パネル５がノーマリーホワイトの時は、データドライバＩＣ１１は、Ｒ、Ｇ、Ｂデータの値が大きいほど小さな電圧値の駆動電圧信号ＤＢ１〜ＤＢ２４０を出力する。これにより、図１（ｂ）に示した電圧−輝度特性が左右反対となり、反射型液晶パネル５に印加される電圧が高くなればなるほど相対輝度が暗くなる。また、この時、液晶印加電圧Ｖｏｆｆ１＞Ｖｏｆｆ２となり液晶印加電圧Ｖｏｎ１＞液晶印加電圧Ｖｏｎ２となる。
【００２５】
以上に説明したように、本実施形態における反射型液晶表示装置１は、フロントライト３の光源２を消灯時（以下、フロントライト３の消灯時とする）は、外光と反射型液晶パネル５の反射特性により白輝度および白色度が決定される。また、反射型液晶表示装置１においてフロントライト３の光源２を点灯時（以下、フロントライト３の点灯時とする）は、フロントライト３の発光スペクトルと反射型液晶パネル５の反射特性により白輝度および白色度が決定される。すなわち、フロントライト３の消灯時は、白色度が外光（太陽光か蛍光灯の光が多い）により白色度が決まってしまう。しかし、白色度の変化量が許容範囲内に収まるような白電圧（Ｖｏｎ１）に設定されているため、白色度は許容範囲内でしか変化しないので、良好な色再現性を得ることができる。更に、外光下では明るさが十分あるため、黒電圧（Ｖｏｆｆ１）に示すように低い電圧とすることで、黒をより黒くすることができ、コントラストのある引き締まった表示が可能となる。
【００２６】
一方、フロントライト３の点灯時には、フロントライト３の発光スペクトルで白色度が決められる。発光スペクトルの決め方は、反射型液晶パネル５において最大輝度の白を表示する白電圧が設定されているため、このときの白色度が良好（中間調の白色度とバランスをとった状態）になるように光源２の発光スペクトルを設定することで白色度調整が可能となる。これにより、反射型液晶表示装置１は、白色度の調整のとれた反射型液晶パネル５において最大の輝度となる白色を表示することができる。
【００２７】
以上に示したように、反射型液晶表示装置１は、フロントライト３を点灯した状態においては、光源２は低消費電力のままでありながら最大の輝度であり良好な色再現範囲をもつ画像を表示することができる。また、反射型液晶表示装置１は、フロントライト３を消灯した状態においては、外光により明るさを得ているので、良好な色再現範囲を確保するよう動作することができ、更に黒を引き締めることができる。
【００２８】
次に、本発明の第２の実施形態における反射型液晶表示装置について説明する。
図３（ａ）は、本発明の第２の実施形態における反射型液晶表示装置の概略構成を示す図である。尚、図３（ａ）に示す第２の実施形態における反射型液晶表示装置１ａは、図１（ａ）に示した第１の実施形態における反射型液晶表示装置１とほぼ同じ構成であり、同じ符号を付与したものは同様の機能を有するので説明を省略する。また、図３（ａ）に示す第２の実施形態における反射型液晶表示装置１ａにおいて、図１（ａ）に示した第１の実施形態における反射型液晶表示装置１と異なる部分は、制御部６ａであり、この異なる部分を主に説明する。
【００２９】
制御部６ａは、光源２の点灯／消灯や、反射型液晶パネル５の液晶への電圧印加など、反射型液晶表示装置１ａが画像情報や文字情報等を表示するための種々の制御を行う。例えば、制御部６ａは、上述した制御部６と同様に反射型液晶パネル５の各画素単位で液晶を駆動する駆動信号をデータバスライン経由で供給する。制御部６と異なるのは、制御部６ａは、反射型液晶パネル５の液晶に印加する白電圧（駆動電圧の最大値）および黒電圧（駆動電圧の最小値）をテキスト（文字）表示／画像表示に応じて制御する点である。尚、テキスト表示とは、文字情報の表示であり、画像表示とは、図や写真などの画像情報の表示である。
【００３０】
尚、本実施形態における反射型液晶表示装置１ａは、図３（ａ）に示した以外にも、一般的な反射型液晶表示装置が備える構成と同様の構成を備えてもよい。また、本実施形態における反射型液晶表示装置１ａは、偏光板４とフロントライト３の導光板とを貼り合わせることで、コントラストを３０程度に高めている。また、上述したように、反射型液晶表示装置１ａのコントラストが３０程度であることに限定されず、任意のコントラストであってよいが、本実施形態の特徴をより効果的に利用するならば、コントラストが１５以上あることが好ましい。
【００３１】
次に、図３（ａ）に示した反射型液晶パネル５の電圧―輝度特性について説明する。図３（ｂ）は、図３（ａ）に示した反射型液晶パネル５の電圧−輝度特性を示す図である。尚、図３（ｂ）に示す電圧−輝度特性は、反射型液晶表示装置１ａがノーマリーブラックである場合を示している。図３（ｂ）のグラフは、図１（ｂ）に示したグラフと同様に、縦軸は相対輝度であり、横軸は液晶印加電圧である。ここで、図３（ｂ）において図１（ｂ）と異なる部分を以下に示す。図３（ｂ）の液晶印加電圧Ｖｏｆｆ１、Ｖｏｆｆ２は、画像表示時かテキスト表示時かによって選択可能な黒電圧であり、液晶印加電圧Ｖｏｎ１、Ｖｏｎ２は、画像表示時かテキスト表示時かによって選択可能な白電圧である。本実施形態では、画像表示時に液晶印加電圧Ｖｏｆｆ１および液晶印加電圧Ｖｏｎ１を選択し、テキスト表示時に液晶印加電圧Ｖｏｆｆ２および液晶印加電圧Ｖｏｎ２を選択すると、表示品質が向上する。
【００３２】
以上に示すように、反射型液晶表示装置１ａは、白電圧として、図３（ｂ）に示した液晶印加電圧Ｖｏｎ１または液晶印加電圧Ｖｏｎ２のいずれかを設定することができ、黒電圧として、図３（ｂ）に示した液晶印加電圧Ｖｏｆｆ１または液晶印加電圧Ｖｏｆｆ２のいずれかを設定することができる。例えば、画像表示またはテキスト表示を判別する画像／テキスト判別信号を外部から受けた場合にその画像／テキスト判別信号に応じて、制御部６ａは、画面表示時に液晶印加電圧Ｖｏｆｆ１および液晶印加電圧Ｖｏｎ１を選択し、テキスト表示時に液晶印加電圧Ｖｏｆｆ２および液晶印加電圧Ｖｏｎ２を選択する。
【００３３】
ここで、図３（ａ）に示した反射型液晶表示装置１ａの制御部６ａにおける黒電圧および白電圧を選択する回路の具体例について説明する。図４（ａ）は、図３（ａ）に示した反射型液晶表示装置１ａの制御部６ａにおける黒電圧および白電圧を選択する回路例を示す図である。図４（ａ）に示す回路例は、図２に示した回路例とセレクタＩＣ・１０ａを具備する点が異なり、その他の構成は同じなのでその部分の説明は省略する。セレクタＩＣ・１０ａは、画像／テキスト判別信号の信号レベルＬ（ロウ）またはＨ（ハイ）に応じて、液晶印加電圧Ｖｏｎ１または液晶印加電圧Ｖｏｎ２を選択して、白輝度の基準電圧（白電圧）として出力する。また、もう１つのセレクタＩＣ・１０ａは、画像／テキスト判別信号の信号レベルＬまたはＨに応じて、液晶印加電圧Ｖｏｆｆ１または液晶印加電圧Ｖｏｆｆ２を選択して、黒輝度の基準電圧（黒電圧）として出力する。
【００３４】
以上の構成により、反射型液晶表示装置１ａは、反射型液晶パネル５の白電圧として、図３（ｂ）に示したように、相対輝度が飽和前の電圧値Ｖｏｎ１と、相対輝度が飽和後の電圧値Ｖｏｎ２を設定する。また、例えば反射型液晶表示装置１ａを備えるＰＤＡ本体に画像表示かテキスト表示かを選択するスイッチが設けられている場合について説明する。図４（ｂ）は、反射型液晶表示装置１ａを備えるＰＤＡの概略を示す図である。
【００３５】
図４（ｂ）において、１５は、ＰＤＡであり、反射型液晶表示装置１ａを備え、反射型液晶表示装置１ａに映像信号を入力することで種々の画像情報や文字情報を表示させる。１６は、操作パネル部であり、ＰＤＡ１５の動作モードや表示内容を変更する際に使用者が操作するスイッチ群である。１６ａは、画像／テキスト選択スイッチであり、ＰＤＡ１５の使用者が、ＰＤＡ１５において画像を表示しているか、テキストを表示しているかを指定するためのスイッチである。また、１６ｂは、フロントライト点灯スイッチであり、ＰＤＡ１５の使用者が、ＰＤＡ１５において反射型液晶表示装置１ａのフロントライト３を点灯するか消灯するかを指定するためのスイッチである。
【００３６】
また、上述した画像／テキスト選択スイッチ１６ａの状態に応じた画像／テキスト判別信号がセレクタＩＣ・１０ａに入力される。これにより、セレクタＩＣ・１０ａは、画像／テキスト判別信号の信号レベルが画像表示を示す場合にはデータドライバＩＣ・１１への白電圧側の基準電圧としてＶｉｎ１を出力し、画像／テキスト判別信号の信号レベルがテキスト表示を示す場合には白電圧側の基準電圧としてＶｏｎ２を出力する。
【００３７】
以上に示したように、テキスト表示と画像表示を比較すると画像表示の方が色再現性能に対する使用者からの要求は高くなるという経験則に応じて、反射型液晶表示装置１ａは、画像表示時に色再現性能の確かな白電圧Ｖｏｎ１を用いる。また、テキスト表示時には色再現よりも明るさの要求が高くなるという経験則に応じて、反射型液晶表示装置１ａは、最大白が出せるような白電圧Ｖｏｎ２を用いる。これにより、反射型液晶表示装置１ａは、画像表示時では輝度は落ちるものの色再現を良好なものにすることができ、テキスト表示時では、色再現性は落ちるものの明るさを良好なものにすることができる。更に、画像表示時は、コントラストが必要であるため、黒電圧を低くして黒をより黒くすることができる。また、テキスト表示時は、コントラストは重要でなく、むしろ明るさが必要であるため黒電圧を高めにすることができる。
【００３８】
尚、上述した実施形態において、画像／テキスト判別信号の制御を外部の画像／テキスト選択スイッチ１６ａの操作に応じて行うことを示したが、この限りではなく、表示中のデータが画像データであるかテキストデータであるかを検知して画像／テキスト検知信号を得ることができる場合などは、制御部６ａにおいて、その画像／テキスト検知信号を基に、画像／テキスト判別信号を生成してもよい。この時、上述した画像／テキスト検知信号を出力する画像／テキスト検知手段は、反射型液晶表示装置１ａの内部に備えても良いし、反射型液晶表示装置１ａの外部に設置されていてもよい。更に、上述した実施形態において反射型液晶表示装置１ａがノーマリーブラックの場合を説明したが、この限りではなく、第１の実施形態と同様に、反射型液晶表示装置１ａはノーマリーホワイトであってもよい。この時、液晶印加電圧Ｖｏｎ１＞液晶印加電圧Ｖｏｎ２となる。
【００３９】
次に、本発明の第３の実施形態における反射型液晶表示装置について説明する。
図５（ａ）は、本発明の第３の実施形態における反射型液晶表示装置の概略構成を示す図である。尚、図５（ａ）に示す第３の実施形態における反射型液晶表示装置１ｂは、図１（ａ）に示した第１の実施形態における反射型液晶表示装置１とほぼ同じ構成であり、同じ符号を付与したものは同様の機能を有するので説明を省略する。また、図５（ａ）に示す第３の実施形態における反射型液晶表示装置１ｂにおいて、図１（ａ）に示した第１の実施形態における反射型液晶表示装置１と異なる部分は、光源２ｂおよび制御部６ｂであり、この異なる部分を主に説明する。
【００４０】
光源２ｂは、ＬＥＤ（発光ダイオード）より構成される光源であり、制御部６ｂからの制御に応じて明るさを調整することができる。また、制御部６ｂは、光源２の点灯／消灯および明るさの制御や、反射型液晶パネル５の液晶への電圧印加など、反射型液晶表示装置１ｂが画像情報や文字情報等を表示するための種々の制御を行う。例えば、制御部６ｂは、上述した制御部６と同様に反射型液晶パネル５の各画素単位で液晶を駆動する駆動信号をデータバスライン経由で供給する。また、制御部６と異なるのは、制御部６ｂは、テキスト表示／画像表示に応じて、反射型液晶パネル５の液晶に印加する駆動電圧の最大値および、光源２の明るさを制御する点である。
【００４１】
尚、本実施形態における反射型液晶表示装置１ｂは、図５（ａ）に示した以外にも、一般的な反射型液晶表示装置が備える構成と同様の構成を備えてもよい。また、また、本実施形態における反射型液晶表示装置１ｂは、偏光板４とフロントライト３の導光板とを貼り合わせることで、コントラストを３０程度に高めている。また、上述したように、反射型液晶表示装置１ｂのコントラストが３０程度であることに限定されず、任意のコントラストであってよいが、本実施形態の特徴をより効果的に利用するならば、コントラストが１５以上あることが好ましい。
【００４２】
次に、図５（ａ）に示した反射型液晶パネル５の電圧―輝度特性について説明する。図５（ｂ）は、図５（ａ）に示した反射型液晶パネル５の電圧−輝度特性を示す図である。尚、図５（ｂ）に示す電圧−輝度特性は、反射型液晶表示装置１ｂがノーマリーブラックである場合を示している。図５（ｂ）のグラフは、図１（ｂ）に示したグラフと同様に、縦軸は相対輝度であり、横軸は液晶印加電圧である。ここで、図５（ｂ）において図１（ｂ）と異なる部分を以下に示す。図５（ｂ）の液晶印加電圧Ｖｏｆｆは、黒電圧であり、液晶印加電圧Ｖｏｎ１、Ｖｏｎ２は、画像表示時かテキスト表示時かによって選択可能な白電圧である。本実施形態では、画像表示時かつフロントライト３オン時に液晶印加電圧Ｖｏｎ１を選択し光源２ｂの輝度を第１の輝度とし、画像表示時かつフロントライト３オフ時に液晶印加電圧Ｖｏｎ１を選択し光源２ｂの輝度を第２の輝度とし、テキスト表示時に液晶印加電圧Ｖｏｎ２を選択し光源２ｂの輝度を第２の輝度とすることで、表示品質が向上する。但し、第１の輝度＞第２の輝度である。
【００４３】
以上に示すように、反射型液晶表示装置１ｂは、白電圧として、図５（ｂ）に示した液晶印加電圧Ｖｏｎ１または液晶印加電圧Ｖｏｎ２のいずれかを設定し、光源２ｂの調整を行うことができる。例えば、画像表示またはテキスト表示を判別する画像／テキスト判別信号およびフロントライト３のオン／オフを判別するフロントライト点灯判別信号を外部から受けた場合に、その画像／テキスト判別信号およびフロントライト点灯判別信号に応じて、制御部６ａは、画面表示時かつフロントライト点灯時に液晶印加電圧Ｖｏｎ１を選択し第１の輝度となるよう光源２ｂを調整する。また、制御部６ａは、画面表示時かつフロントライト消灯時に液晶印加電圧Ｖｏｎ１を選択し第２の輝度となるよう光源２ｂを調整する。また、制御部６ａは、テキスト表示時に液晶印加電圧Ｖｏｎ２を選択し第２の輝度となるよう光源２ｂを調整する。但し、第１の輝度＞第２の輝度である。
【００４４】
ここで、図５（ａ）に示した反射型液晶表示装置１ｂの制御部６ｂにおける白電圧を選択する回路の具体例について説明する。図６は、図５（ａ）に示した反射型液晶表示装置１ｂの制御部６ｂにおける白電圧を選択する回路例を示す図である。図６に示す回路例は、図４（ａ）に示した回路例とＡＮＤ（論理積）回路１２と、セレクタＩＣ・１３とを具備する点が異なり、その他の構成は同じなのでその部分の説明は省略する。ＡＮＤ回路１２は、画像／テキスト判別信号およびフロントライト点灯判別信号の論理積をとる回路である。また、セレクタＩＣ・１３は、ＡＮＤ回路１２の出力信号レベルＬ（ロウ）またはＨ（ハイ）に応じて、第１の輝度となるＬＥＤ印加電圧Ｖ１または第２の輝度となるＬＥＤ印加電圧Ｖ２を選択して、光源２ｂに印加する電圧として出力する。この時、第１の輝度と第２の輝度の関係からも明らかなように、Ｖ１＞Ｖ２である。
【００４５】
以上の構成により、反射型液晶表示装置１ｂは、反射型液晶パネル５の白電圧として、図５（ｂ）に示したように、画像／テキスト判別信号に応じて相対輝度が飽和前の電圧値Ｖｏｎ１または相対輝度が飽和後の電圧値Ｖｏｎ２を設定する。また、例えば反射型液晶表示装置１ｂを備えるＰＤＡ本体に画像表示かテキスト表示かを選択するスイッチが設けられている場合について説明する。尚、反射型液晶表示装置１ｂを備えるＰＤＡの概略は、上述した図４（ｂ）に示した通りである。但し、ＰＡＤ１５は、反射型液晶表示装置１ｂを備える。
【００４６】
ＰＤＡ１５において、画像／テキスト選択スイッチ１６ａのスイッチの状態に応じた画像／テキスト判別信号がセレクタＩＣ・１０ａおよびＡＮＤ回路１２に入力される。また、ＰＤＡ１５において、フロントライト点灯スイッチ１６ｂの状態に応じたフロントライト点灯判別信号がＡＮＤ回路１２に入力される。以上より、画像表示時かつフロントライト点灯時には画像／テキスト判別信号＝Ｈ、フロントライト点灯判別信号＝Ｈとなるので、セレクタＩＣ・１０ａは、データドライバＩＣ・１１への白電圧側の基準電圧としてＶｉｎ１を出力し、セレクタＩＣ・１３は、光源２ｂへＬＥＤ印加電圧Ｖ１を出力する。また、画像表示時かつフロントライト消灯時には画像／テキスト判別信号＝Ｈ、フロントライト点灯判別信号＝Ｌとなるので、セレクタＩＣ・１０ａは、データドライバＩＣ・１１への白電圧側の基準電圧としてＶｉｎ１を出力し、セレクタＩＣ・１３は、光源２ｂへＬＥＤ印加電圧Ｖ２を出力する。また、テキスト表示時には画像／テキスト判別信号＝Ｌとなるので、セレクタＩＣ・１０ａは、白電圧側の基準電圧としてＶｏｎ２を出力し、セレクタＩＣ・１３は、光源２ｂへＬＥＤ印加電圧Ｖ２を出力する。
【００４７】
以上に示したように、反射型液晶表示装置１ｂは、画像／テキスト判別信号とフロントライト点灯判別信号の２つの信号により、画像表示かつフロントライト点灯の時にＬＥＤ印加電圧をＶ１に制御し、それ以外の状態（テキスト表示、画像表示かつフロントライト消灯）の時にはＬＥＤ印加電圧をＶ２に制御する。これにより、反射型液晶表示装置１ｂは、画像表示時には液晶パネルの白レベルはテキスト表示時の白レベルよりも低いものの、フロントライト３の光量がテキスト表示時よりも多くなっているため、画像表示時の白輝度を明るい状態にできる。すなわち、画像表示時に色度を確保するため犠牲にした輝度低下分を、フロントライト３の光源２の光量アップにより補足する。また、使用状況に応じてフロントライト３の光源２の光量を変えるため、消費電力も著しく増大させることなく、画像表示時の輝度を確保できる。
【００４８】
次に、本発明の第４の実施形態における反射型液晶表示装置について説明する。
図７（ａ）は、本発明の第４の実施形態における反射型液晶表示装置の概略構成を示す図である。尚、図７（ａ）に示す第４の実施形態における反射型液晶表示装置１ｃは、図１（ａ）に示した第１の実施形態における反射型液晶表示装置１とほぼ同じ構成であり、同じ符号を付与したものは同様の機能を有するので説明を省略する。また、図７（ａ）に示す第４の実施形態における反射型液晶表示装置１ｃにおいて、図１（ａ）に示した第１の実施形態における反射型液晶表示装置１と異なる部分は、制御部６ｃであり、この異なる部分を主に説明する。
【００４９】
制御部６ｃは、光源２の点灯／消灯や、反射型液晶パネル５の液晶への電圧印加など、反射型液晶表示装置１ｃが画像を表示するための種々の制御を行う。例えば、制御部６ｃは、上述した制御部６と同様に反射型液晶パネル５の各画素単位で液晶を駆動する駆動信号をデータバスライン経由で供給する。制御部６と異なるのは、制御部６ｃは、反射型液晶パネル５の液晶に２種類のガンマ設定のいずれか１つに応じた駆動電圧を印加する点である。また、制御部６ｃは、フロントライト３の点灯／消灯に応じて２種類のガンマ設定（ガンマ設定１、ガンマ設定２）から１つを選択する。尚、制御部６ｃのガンマ設定処理については詳細を後述する。
【００５０】
尚、本実施形態における反射型液晶表示装置１ｃは、図７（ａ）に示した以外にも、一般的な反射型液晶表示装置が備える構成と同様の構成を備えてもよい。また、本実施形態における反射型液晶表示装置１ｃは、偏光板４とフロントライト３の導光板とを貼り合わせることで、コントラストを３０程度に高めている。また、上述したように、反射型液晶表示装置１ｃのコントラストが３０程度であることに限定されず、任意のコントラストであってよいが、本実施形態の特徴をより効果的に利用するならば、コントラストが１５以上あることが好ましい。
【００５１】
ここで、反射型液晶表示装置１ｃを備えるＰＤＡにフロントライト３を点灯するか消灯するかを選択するフロントライト点灯スイッチが設けられている具体例について説明する。図７（ｂ）は、反射型液晶表示装置１ｃを備えるＰＤＡの概略を示す図である。
【００５２】
図７（ｂ）において、１５ｃは、ＰＤＡであり、反射型液晶表示装置１ｃを備え、反射型液晶表示装置１ｃに映像信号を入力することで種々の画像情報や文字情報等を表示させる。１７は、光センサであり、ＰＤＡ１５ｃが明るい場所で使用されているのか暗い場所で使用されているのかを感知する。１８は、操作パネル部であり、ＰＤＡ１５ｃの動作モードや表示内容を変更する際に使用者が操作するスイッチ群である。１８ａは、フロントライト点灯スイッチであり、ＰＤＡ１５ｃの使用者が、反射型液晶表示装置１ｃのフロントライト３を点灯／消灯する場合に操作するためのスイッチである。フロントライト点灯スイッチ１８ａが「入」の状態でフロントライト３が点灯し、「切」の状態でフロントライト３が消灯する。
【００５３】
次に、図７（ａ）に示した反射型液晶表示装置１ｃの制御部６ｃにおける２種類のガンマ設定を選択する回路の具体例について説明する。図８は、図７（ａ）に示した反射型液晶表示装置１ｃの制御部６ｃにおける２種類のガンマ設定を選択する回路例を示す図である。尚、図８に示すデータドライバＩＣ１１は、図２、図４、図６に示したデータドライバＩＣ１１の詳細な構成例を示すものであり、機能は同じである。
【００５４】
図８において、１１ａは、シフトレジスタ部であり、スタートパルスＳＰが入力されるとクロック信号ＣＬＫに同期して格納タイミングパルスＳＢ１〜ＳＢ２４０を出力する。尚、本実施形態では、反射型液晶パネル５のデータバスラインが２４０ラインあるので、格納タイミングパルスＳＢ１〜ＳＢ２４０まである。１１ｂは、データレジスタ部であり、シフトレジスタ部１１ａからの格納タイミングパルスＳＢ１〜ＳＢ２４０のタイミングで、入力される８ビットのＲデータ、Ｇデータ、Ｂデータを格納して、格納したＲ、Ｇ、Ｂデータを出力する。
【００５５】
１１ｃは、ラッチ部であり、データレジスタ部１１ｂが出力するＲ、Ｇ、ＢデータをラッチパルスＬＰの入力タイミングでラッチして、出力する。１１ｄは、Ｄ／Ａ変換部であり、後述する階調電圧生成部１１ｅからの階調電圧ＶＢ０〜ＶＢ６３（６４階調）を基に、ラッチ部１１ｃが出力するＲ、Ｇ、Ｂデータ（デジタル信号）に応じた駆動電圧信号ＤＢ１〜ＤＢ２４０（アナログ信号）を反射型液晶パネル５のデータバスラインへ出力する。階調電圧生成部１１ｅは、後述するガンマ値切換部２０が出力する１２階調のガンマ設定値ＶＡ０〜ＶＡ１１を基に、上述した階調電圧ＶＢ０〜ＶＢ６３（６４階調）を生成して出力する。
【００５６】
ガンマ値切換部２０は、ガンマ設定１の電圧Ｖ０〜Ｖ１１またはガンマ設定２の電圧Ｖ０’〜Ｖ１１’のいずれか一方をガンマ切換信号に応じて選択して、ガンマ設定値ＶＡ０〜ＶＡ１１としてデータドライバＩＣ１１の階調電圧生成部１１ｅへ出力する。本実施形態においては、ガンマ切換信号としてフロントライト点灯スイッチ１８ａの操作に応じて変化するフロントライト点灯判別信号を用いる。
【００５７】
ここで、ガンマ設定１の電圧Ｖ０〜Ｖ１１を生成する回路例について説明する。図９（ａ）は、ガンマ設定１の電圧Ｖ０〜Ｖ１１を生成する回路例を示す図である。図９（ａ）において、Ｒ１〜Ｒ１１は、抵抗素子であり、白電圧から黒電圧までの電位差をガンマ設定１に応じて分圧する。このガンマ設定１とは、図９（ｂ）のガンマ設定１の曲線に示すように、入力の変化に対して凸カーブを描くように変化する出力を行う。一般的に、この曲線をガンマカーブと呼び、入力と出力の関係をガンマ特性と呼ぶ。また、ガンマ設定２の場合も、図９（ａ）と同様の回路構成で、分圧することにより図９（ｂ）に示すガンマ設定２の曲線となるガンマ設定２の電圧Ｖ０’〜Ｖ１１’を出力する。また、図９（ｂ）に示すように、ガンマ設定１は低輝度部分の傾きが大きく黒表示（低輝度部分の表示）を強調しており、ガンマ設定２は高輝度部分の傾きが大きく白表示（高輝度部分の表示）を強調した設定の例である。
【００５８】
ここで、ガンマ設定１およびガンマ設定２の設定方法および制御部６ｃの動作について説明する。例えば、明るい環境下では、白輝度は十分であると予想され、黒表示を強調した表示にして高コントラストな表示を実現するため、ガンマ設定１を用いる。また、明るい環境なのでＰＤＡ１５ｃ本体のフロントライト点灯スイッチ１８ａが「切」であり、フロントライト３が消灯していることを示すフロントライト点灯判別信号がガンマ値切換部２０へ入力される。これにより、ガンマ値切換部２０は、ガンマ設定１の電圧Ｖ１〜Ｖ１１を選択してガンマ設定値ＶＡ０〜ＶＡ１１として出力する。これによって、階調電圧生成部１１ｅは、ガンマ設定値ＶＡ０〜ＶＡ１１に応じた図９（ｂ）のガンマ設定１に示すように変化する階調電圧ＶＢ０〜ＶＢ６３を出力する。これにより、Ｄ／Ａ変換部１１ｄは、ガンマ設定１に設定された階調電圧ＶＢ０〜ＶＢ６３を基準電圧として、ラッチ部１１ｃから入力されるＲ、Ｇ、ＢデータをＤ／Ａ変換して駆動電圧信号ＤＢ１〜ＤＢ２４０を出力する。
【００５９】
一方、暗い環境下でフロントライト３を点灯した場合は、白輝度は十分な輝度まで得られないことが多い。この場合は、白表示を強調した表示にして明るい表示を実現するよう、ガンマ設定２を用いる。また、暗い環境なのでＰＤＡ１５ｃ本体のフロントライト点灯スイッチ１８ａが「入」であり、フロントライト３が点灯していることを示すフロントライト点灯判別信号がガンマ値切換部２０へ入力される。これにより、ガンマ値切換部２０は、ガンマ設定２の電圧Ｖ１’〜Ｖ１１’を選択してガンマ設定値ＶＡ０〜ＶＡ１１として出力する。これによって、階調電圧生成部１１ｅは、ガンマ設定値ＶＡ０〜ＶＡ１１に応じた図９（ｂ）のガンマ設定２に示すように変化する階調電圧ＶＢ０〜ＶＢ６３を出力する。これにより、Ｄ／Ａ変換部１１ｄは、ガンマ設定２に設定された階調電圧ＶＢ０〜ＶＢ６３を基準電圧として、ラッチ部１１ｃから入力されるＲ、Ｇ、ＢデータをＤ／Ａ変換して駆動電圧信号ＤＢ１〜ＤＢ２４０を出力する。
【００６０】
以上に示したように、本実施形態の反射型液晶表示装置１ｃにおいては、外光が明るく反射パネルの照明光量が多い場合には、黒をより黒く見せるためのガンマ設定１を設定し、照明光量が少ない場合には、白表示をより明るくみせるためのガンマ設定２を設定することができる。すなわち、本実施形態の反射型液晶表示装置１ｃは、使用条件に応じてガンマ特性を変更することで表示品質を向上することができる。
【００６１】
尚、上述の実施形態においては、フロントライト点灯スイッチ１８ａの状態（＝フロントライト３が点灯しているか消灯しているか）でガンマ設定値を変えているが、この限りではなく、外光の明るさの程度によってガンマ設定をかえてもよい。例えば、外光の明るさを感知する光センサ１７のセンサ出力に応じて、センサ出力が所定値以上（外光が所定の明るさ以上）の場合にはガンマ設定１を、センサ出力が所定値以下（外光が所定の明るさ以下）の場合にはガンマ設定２をガンマ値切換部２０が選択するようにしても良い。また、上述した実施形態ではガンマ設定の種類は２種類であったが、この限りではなく、更に多くの種類を設定可能としても良い。
【００６２】
また、第４の実施形態における図９（ａ）に示す白電圧および黒電圧に対して、第１の実施形態〜第３の実施形態に示した使用状況に応じた制御を行ってもよい。
【００６３】
以上、この発明の実施形態について図面を参照して詳述してきたが、具体的な構成はこの実施形態に限られるものではなく、この発明の要旨を逸脱しない範囲の設計等も含まれる。
本発明の実施形態は、例えば以下に示すような種々の適用が可能である。
【００６４】
（付記１）  光を反射する反射層を備える反射型液晶パネルと、
前記反射型液晶パネルを照射するフロントライトと、
前記フロントライトの点灯状態を示すフロントライト点灯判別信号に応じて、前記反射型液晶パネルに印加する白表示電圧を制御する制御手段と
を具備することを特徴とする反射型液晶表示装置。
【００６５】
（付記２）  前記反射型液晶パネルがノーマリーブラックである場合に、前記制御手段は、前記フロントライト点灯判別信号が前記フロントライトの消灯を示す場合の前記白表示電圧である第１の白表示電圧に対して、前記フロントライト点灯判別信号が前記フロントライトの点灯を示す場合の前記白表示電圧である第２の白表示電圧の方が高くなるよう制御することを特徴とする付記１に記載の反射型液晶表示装置。
【００６６】
（付記３）  前記反射型液晶パネルがノーマリーホワイトである場合に、前記制御手段は、前記フロントライト点灯判別信号が前記フロントライトの消灯を示す場合の前記白表示電圧である第１の白表示電圧に対して、前記フロントライト点灯判別信号が前記フロントライトの点灯を示す場合の前記白表示電圧である第２の白表示電圧の方が低くなるよう制御することを特徴とする付記１に記載の反射型液晶表示装置。
【００６７】
（付記４）  前記フロントライトを点灯または消灯の状態に制御するフロントライト制御手段を更に具備し、
前記フロントライト点灯判別信号は、前記フロントライト制御手段の制御に応じた信号であることを特徴とする付記１に記載の反射型液晶表示装置。
【００６８】
（付記５）  前記フロントライト制御手段は、スイッチであることを特徴とする付記４に記載の反射型液晶表示装置。
【００６９】
（付記６）  光を反射する反射層を備える反射型液晶パネルと、
前記反射型液晶パネルに表示中の表示内容を判別する表示判別信号に応じて、前記反射型液晶パネルに印加する白表示電圧を制御する制御手段と
を具備することを特徴とする反射型液晶表示装置。
【００７０】
（付記７）  前記表示判別信号は、利用者が表示内容に応じて設定したスイッチの状態に応じて生成される信号であることを特徴とする付記６に記載の反射型液晶表示装置。
【００７１】
（付記８）  前記反射型液晶パネルに表示中の表示内容を判別して前記表示判別信号を出力する表示判別手段を更に具備すること特徴とする付記６に記載の反射型液晶表示装置。
【００７２】
（付記９）  前記第１の白表示電圧は前記反射型液晶パネルの電圧輝度特性において電圧変化に対して輝度変化が飽和していない領域の電圧であり、前記第２の白表示電圧は、前記反射型液晶パネルの電圧輝度特性において電圧変化に対して輝度変化が飽和する領域の電圧であることを特徴とする付記２に記載の反射型液晶表示装置。
【００７３】
（付記１０）  前記第１の白表示電圧は前記反射型液晶パネルの電圧輝度特性において電圧変化に対して輝度変化が飽和していない領域の電圧であり、前記第２の白表示電圧は、前記反射型液晶パネルの電圧輝度特性において電圧変化に対して輝度変化が飽和する領域の電圧であることを特徴とする付記３に記載の反射型液晶表示装置。
【００７４】
（付記１１）  光を反射する反射層を備える反射型液晶パネルと、
前記反射型液晶パネルを照射するフロントライトと、
前記フロントライトの点灯状態を示すフロントライト点灯判別信号に応じて、前記反射型液晶パネルに印加する駆動電圧信号を生成ために利用するガンマ特性を切り替えるよう制御する制御手段と
を具備することを特徴とする反射型液晶表示装置。
【００７５】
（付記１２）  光を反射する反射層を備える反射型液晶パネルと、
前記反射型液晶パネルに照射される光量を感知する光感知手段と、
前記光感知手段の感知した前記光量に応じて、前記反射型液晶パネルに印加する駆動電圧信号を生成ために利用するガンマ特性を切り替えるよう制御する制御手段と
を具備することを特徴とする反射型液晶表示装置。
【００７６】
（付記１３）  光を反射する反射層を備える反射型液晶パネルと、
前記反射型液晶パネルを照射するフロントライトと、
前記フロントライトの点灯状態を示すフロントライト点灯判別信号に応じて、前記反射型液晶パネルに印加する黒表示電圧を制御する制御手段と
を具備することを特徴とする反射型液晶表示装置。
【００７７】
（付記１４）  光を反射する反射層を備える反射型液晶パネルと、
前記反射型液晶パネルに表示中の表示内容を判別して表示判別信号を出力する表示判別手段と、
前記表示判別手段が出力する表示判別信号に応じて、前記反射型液晶パネルに印加する黒表示電圧を制御する制御手段と
を具備することを特徴とする反射型液晶表示装置。
【００７８】
【発明の効果】
以上に説明したように、本発明による反射型液晶表示装置においては、フロントライトの点灯状態を示すフロントライト点灯判別信号に応じて、反射型液晶パネルに印加する白表示電圧を制御できるので、例えば、液晶画面が全体的に明るさの足りなくなることが多いフロントライト点灯時に、白表示電圧を高めに制御して画面の輝度をより明るくすることが出来る。すなわち、使用状況に応じたより高品質な表示を実現することができる。
【図面の簡単な説明】
【図１】本発明の第１の実施形態における反射型液晶表示装置の概略構成および反射型液晶表示装置の具備する反射型液晶パネルの電圧−輝度特性を示す図である。
【図２】図１（ａ）に示した反射型液晶表示装置１の制御部６における黒電圧および白電圧を選択する回路例を示す図である。
【図３】本発明の第２の実施形態における反射型液晶表示装置の概略構成および反射型液晶表示装置の具備する反射型液晶パネルの電圧−輝度特性を示す図である。
【図４】図３（ａ）に示した反射型液晶表示装置１ａの制御部６ａにおける黒電圧および白電圧を選択する回路例および反射型液晶表示装置１ａを備えるＰＤＡの概略を示す図である。
【図５】本発明の第３の実施形態における反射型液晶表示装置の概略構成および反射型液晶表示装置の具備する反射型液晶パネルの電圧−輝度特性を示す図である。
【図６】図５（ａ）に示した反射型液晶表示装置１ｂの制御部６ｂにおける白電圧を選択する回路例を示す図である。
【図７】本発明の第４の実施形態における反射型液晶表示装置の概略構成および反射型液晶表示装置１ｃを備えるＰＤＡの概略を示す図である。
【図８】図７（ａ）に示した反射型液晶表示装置１ｃの制御部６ｃにおける２種類のガンマ設定を選択する回路例を示す図である。
【図９】第４の実施形態におけるガンマ設定１の電圧Ｖ０〜Ｖ１１を生成する回路例およびガンマ設定１、ガンマ設定２の入出力特性を示す図である。
【図１０】従来の反射型液晶表示装置の概略構成および反射型液晶表示装置の具備する反射型液晶パネルの電圧−輝度特性を示す図である。
【符号の説明】
１、１ａ、１ｂ、１ｃ    反射型液晶表示装置
２、２ｂ                光源
３              フロントライト
４              偏光板
５              反射型液晶パネル
６、６ａ、６ｂ、６ｃ    制御部
１０、１０ａ    セレクタＩＣ
１１            データドライバＩＣ
１２        ＡＮＤ回路
１３        セレクタＩＣ
１５        ＰＤＡ
１６、１８  操作パネル
１６ａ      画像／テキスト選択スイッチ
１６ｂ      フロントライト点灯スイッチ
１１ａ      シフトレジスタ部
１１ｂ      データレジスタ部
１１ｃ      ラッチ部
１１ｄ      Ｄ／Ａ変換部
１１ｅ      階調電圧生成部
２０        ガンマ値切換部
【図１】
2004302161.tif 000003
【図２】
2004302161.tif 000004
【図３】
2004302161.tif 000005
【図４】
2004302161.tif 000006
【図５】
2004302161.tif 000007
【図６】
2004302161.tif 000008
【図７】
2004302161.tif 000009
【図８】
2004302161.tif 000010
【図９】
2004302161.tif 000011
【図１０】
2004302161.tif 000012